(57)【要約】【課題】天井内のアウトレットボックスの開口部分に於ける天井壁面を簡単な操作でかつ健康衛生面を考慮して迅速に穿孔できることを可能にした技術を提供する。【解決手段】シャンク９の本体部９ｂはスプリングガイドピン１０をビス等の締付部品９ｃにより固定する。このスプリングガイドピン１０は比較的径短の第１コイルスプリング１１を巻装する。該スプリングガイドピン１０の外周にはセンターパイプ１２を介してホルソーパイプ１３を配置している。該ホルソーパイプ１３は雄ねじ部１３ａにスペーサ１４を介してホルソー８に連結している。該ホルソーパイプ１３の外周には比較的径長の第２コイルスプリング１５を巻装する。第１保護パイプ１９は、やや径長に構成され前記固定板７ａの下面に固定している。第２保護パイプ２０は、該第１保護パイプ１９と比較してやや径短に構成し、該第１保護パイプ１９内に遊嵌状態に進退自在に装着する。【選択図】図１
0003133687.tif 000002
【実用新案登録請求の範囲】
【請求項１】
天井壁面（ボード）の内側に配置したアウトレットボックスの内奥面から引出されたボックス固定用ボルトの端部に取付られかつ該天井壁面（ボード）の外部に突出させた目印としての孔開ガイド棒を中心とした該天井壁面（ボード）の孔開部分Ｂを切削する天井器具取付丸孔カバー用孔開機器Ａであって、前記孔開ガイド棒に嵌合しかつシャンクに支承された第１コイルスプリング及びこれに連係するセンターパイプにより上・下に進退自在に移動するボードガイドを備え、回転駆動手段により高速回転する前記シャンクに連結されたホルソーパイプに固定されかつ切歯を有して天井壁面（ボード）の孔開部分を切削するホルソーとを有し、さらに前記ホルソーを収容すると共に下面に比較的径短の第２保護パイプの外周にスライドする比較的径長の第１の保護パイプを備えて前記シャンクに支承された第２コイルスプリングにより上・下に進退自在に移動し切屑を捕集する集塵ケースを具備したことを特徴とする天井器具取付丸孔カバー用孔開機器。
【考案の詳細な説明】
【技術分野】
【０００１】
本考案は、天井内のアウトレットボックスの開口部分に於ける天井壁面を簡単な操作でかつ健康衛生面を考慮して迅速に穿孔できることを可能にした天井器具取付丸孔カバー用孔開機器に関するものである。
【背景技術】
【０００２】
この種の従来の技術では作業者が手動または自動で操作する切削工具等により天井内のアウトレットボックスの開口部分に於ける天井壁面を穿孔し、この穿孔部分に天井照明器具等を取付けていた。以下図５を参照し、従来の技術に於ける天井孔開工具等を説明する。
図５の例によればセンタードリル１のシャンク部６に大口径穴あけ工具の本体３
の内径より小さい厚さ１〜２ミリメートルの金属で作ったつば状の部材２を通す。
そして、センタードリル１を大口径穴あけ工具の本体３に装着したとき、つば状の部材２が大口径穴あけ工具の本体３の底付近にくる位置で、つば状の部材２を固定する。また、センタードリル１のシャンク部６の後端に回り止め用の面取り部（図示せず）を設けて大口径穴あけ工具の本体３に装着し、止めねじ５にて固定する。
さらに、シャンク部６を電動ドリル等の電動工具（図示せず）のチャック部に固定
し、大口径穴あけ工具の本体３を回転させて大口径穴あけ工具の切刃部４を天井壁
面に押接し、天井壁面を穿孔する。
【特許文献１】実開平６―６３３０９号公開実用新案公報
【考案の開示】
【考案が解決しようとする課題】
【０００３】
従来の技術は叙上した構成であるので次の課題が存在した。
すなわち、アウトレットボックスは天井内に埋め込まれているため天井ボード貼り終了後、細い鋸の切削工具等で天井ボード（天井壁面）に孔開け作業を行うものであり、この作業は作業員が足場の上に立ち、天井に向かって上向きで行うので不安定になりやすく、作業能率が悪いものであった。また天井ボード（石膏ボード）の開口時に生ずる切粉により健康衛生面でも多くの問題があった。
【課題を解決するための手段】
【０００４】
本考案に係る天井器具取付丸孔カバー用孔開機器は、天井内のアウトレットボックスの開口部分に於ける天井壁面を、簡単な操作でかつ健康衛生面を考慮して迅速に穿孔できる技術を提供することを目的としたものであって、次の構成、手段から成立する。
【０００５】
請求項１記載の考案によれば、天井壁面（ボード）の内側に配置したアウトレットボックスの内奥面から引出されたボックス固定用ボルトの端部に取付られかつ該天井壁面（ボード）の外部に突出させた目印としての孔開ガイド棒を中心とした該天井壁面（ボード）の孔開部分Ｂを切削する天井器具取付丸孔カバー用孔開機器Ａであって、前記孔開ガイド棒に嵌合しかつシャンクに支承された第１コイルスプリング及びこれに連係するセンターパイプにより上・下に進退自在に移動するボードガイドを備え、回転駆動手段により高速回転する前記シャンクに連結されたホルソーパイプに固定されかつ切歯を有して天井壁面（ボード）の孔開部分を切削するホルソーとを有し、さらに前記ホルソーを収容すると共に下面に比較的径短の第２保護パイプの外周にスライドする比較的径長の第１の保護パイプを備えて前記シャンクに支承された第２コイルスプリングにより上・下に進退自在に移動し切屑を捕集する集塵ケースを具備したことを特徴とする。
【考案の効果】
【０００６】
本考案に係る天井器具取付丸孔カバー用孔開機器は叙上の構成を有するので次の効果がある。
【０００７】
すなわち、天井内のアウトレットボックスの開口部分に於ける天井壁面を、簡単な操作でかつ健康衛生面を考慮して迅速に穿孔できるという効果がある。
また、天井内のアウトレットボックスの最奥内面の略中央部から垂下して取付けた孔開けガイド棒を天井壁面（ボード）から外部へ突出させたので、これが天井壁面の孔開け部の目印となり正確かつ迅速に天井壁面の孔開け作業を行うことができるという効果がある。
【考案を実施するための最良の形態】
【０００８】
以下、本考案に係る天井器具取付丸孔カバー用孔開機器に於ける実施の形態について添付図面に基づき詳細に説明する。
図１は、本考案に係る天井器具取付丸孔カバー用孔開機器の実施の形態を示すものであって、その垂直方向に要部を切断した側面図である。これについて説明し、当該天井器具取付丸孔カバー用孔開機器Ａを明らかにする。尚、天井器具としては天井照明器具や火災報知機等の機器を含む。
７は集塵ケースであり、例えば、略円筒体若しくは矩形箱体の形状を有し、樹脂材料又はＡｌ等の金属材料で構成される。該集塵ケース７はこの内部に収容された上端に切歯８ａを形成したホルソー８が後述する天井の壁面を穿孔した際に発生する切り屑や塵埃を外部に飛散することなく収集する。９はシャンクであり、その下端部９ａは該シャンク９やこれに連結するホルソー８を約１４００（ｒｐｍ）程度の高速回転させる例えば電動ドライバードリル（図示せず）の先端爪部に嵌合させる。
【０００９】
前記シャンク９の本体部９ｂはスプリングガイドピン１０をビス等の締付部品９ｃにより固定する。このスプリングガイドピン１０は比較的径短の第１コイルスプリング１１を巻装する。該スプリングガイドピン１０の外周にはセンターパイプ１２を介してホルソーパイプ１３を配置している。該ホルソーパイプ１３は雄ねじ部１３ａにスペーサ１４を介してホルソー８に連結している。前記シャンク９の雄ねじ部９ｄは前記ホルソーパイプ１３の雌ねじ部１３ｂに螺合している。該ホルソーパイプ１３の外周には比較的径長の第２コイルスプリング１５を巻装する。
【００１０】
１６は前記第２コイルスプリング受座であって、前記シャンク９の段差部に係止され、該第２コイルスプリング１５の一方を支承している。該第２コイルスプリング１５の他方は集塵ケース７の底面に固定された固定板７ａに支承されている。前記第１コイルスプリング１１はセンターパイプ１７及びボードガイド１８に連係している。該センターパイプ１７は抜け止めビス１７ａにより該第１コイルスプリング１１と係止している。１９は第１保護パイプであり、やや径長に構成され前記固定板７ａの下面に固定している。２０は第２保護パイプであって、該第１保護パイプ１９と比較してやや径短に構成し、該第１保護パイプ１９内に遊嵌状態に進退自在に装着する。
【００１１】
上述した本考案に係る天井器具取付丸孔カバー用孔開機器を分解すれば図２に示す如くである。そして、各部構成部品としてのシャンク９、スプリングガイドピン１０、第１コイルスプリング１１、センターパイプ１７、第２コイルスプリング受座１６、ホルソーパイプ１３、第２コイルスプリング１５、第１保護パイプ１９、固定板７ａ、第２保護パイプ２０、集塵ケース７、スペーサ１４、ホルソー８及びボードガイド１８を順次連結すれば天井器具取付丸孔カバー用孔開機器Ａの全体構成が成立する。
【００１２】
次に図３（ａ）（ｂ）及び図４（ａ）（ｂ）に基づき、当該本考案に係る天井器具取付丸孔カバー用孔開機器の使用態様や動作等を説明する。
２１は建築構造物や家屋等の天井壁面（ボード）である。この天井壁面（ボード）２１の内側には例えば四角形又は略円筒形状等で形成されたアウトレットボックス２２が配置されている。このアウトレットボックス２２は、例えば、樹脂材料又は金属材料で構成され、その内奥面２２ａから建築構造物等の内部から引き廻された屋内電線（図示せず）の端部を取出す構造になっている。この屋内電線の端部は例えば天井器具（図示せず）を設置した際に該天井器具の電源入力部に接続するように構成している。
【００１３】
ボックス固定用ボルト２３の端部は、例えば雄ねじが形成され、ワンタッチ手段やねじ込みにより孔開ガイド棒２４を一時的に固定している。この孔開ガイド棒２４の先端２４ａは天井壁面（ボード）２１を突き抜け突出させている。これにより孔開ガイド棒２４の先端２４ａが目印となり、作業者が視覚で孔開部位を特定できる。
【００１４】
図３（ａ）に示す状態は天井器具取付丸孔カバー用孔開機器Ａが天井壁面（ボード）２１から離れたときである。従って、この状態ではボードガイド１８が孔開ガイド棒２４の先端２４ａに嵌合していない。そして図３（ｂ）に示すように作業者は当該天井器具取付丸孔カバー用孔開機器Ａを該天井壁面（ボード）２１に接近させ、ボードガイド１８を孔開ガイド棒２４の先端２４ａに嵌合させると共に該ボードガイド１８を天井壁面（ボード）２１に押し付け、シャンク９の回転駆動手段、例えば、電動ドライバードリル（図示せず）の先端爪部にシャンク９を挟んで高速回転駆動する。また、作業者はシャンク９を押込むことにより前記第１コイルスプリング１１を圧縮しながら前記センターパイプ１７及びボードガイド１８を押下げ、図３（ｂ）に示すようにホルソー８の上面及び集塵ケース７の上面を天井壁面（ボード）２１に密着させる。
【００１５】
次に図４（ａ）に示すように作業者はさらにシャンク９を押込みながら、シャンク９の回転駆動手段としての電動ドライバードリルを高速回転させるので、ホルソー８を例えば１４００（ｒｐｍ）程度に高速回転させながら該ホルソー８の切歯８ａが天井壁面（ボード）２１内に喰込み該天井壁面（ボード）２１の孔開部分Ｂを切削する。このとき、さらに第１コイルスプリング１１を圧縮すると共に第２コイルスプリング１５を圧縮する。このとき第１保護パイプ１９は第２保護パイプ２０の外周をスライドさせながら下方に進入する。そして、天井壁面（ボード）２１を切削するので切屑（塵埃）Ｓが集塵ケース７内に落下し捕集される。この切屑（塵埃）Ｓは切削作業中に集塵ケース７の外部に飛散することなく、作業者は常に健康衛生的にも保護される。また、切削作業中に於いて、この集塵ケース７の上端外縁部７ｂが天井壁面（ボード）２１に密着状態になっており、このため作業者は安定した状態で電動ドライバードリルを把持し天井壁面（ボード）２１の切削作業が安定するという効用もある。
【００１６】
そして、作業者による天井壁面（ボード）２１に於ける孔開部分Ｂの切削作業が終了すれば、作業者は回転駆動手段としての電動ドライバードリルの回転動作を停止し、天井器具取付丸孔カバー用孔開機器Ａのボードガイド１８を孔開ガイド棒２４の先端２４ａから離脱させる。而して、図４（ｂ）に示すように前記天井壁面（ボード）２１の孔開部分Ｂをボードガイド１８に載置した状態で前記第２コイルスプリング１５が伸長し、集塵ケース７が復元する。このとき第１保護パイプ１９は第２保護パイプ２０の外周をスライドしながら上方に移動する。そして、図４（ｂ）に示すように前記第１コイルスプリング１１が伸長し、天井壁面（ボード）２１の孔開部分Ｂがボードガイド１８によりホルソー８内から押し出される。
【００１７】
また、作業者は、この切削した孔開部分Ｂをボードガイド１８から取外し、また捕集された切屑（塵埃）Ｓを集塵ケース７から外部へ取出す。最後に、工具等により孔開ガイド棒２４をボックス固定用ボルト２３の端部から取外し、捕集された切屑（塵埃）Ｓと同様に廃却する。而して、作業者は、図４（ｂ）に示す取付用穿孔Ｃに天井器具をセットする。
【図面の簡単な説明】
【００１８】
【図１】本考案に係る天井器具取付丸孔カバー用孔開機器の実施の形態を示すものであって、その垂直方向に要部を切断した側面図である。
【図２】本考案に係る天井器具取付丸孔カバー用孔開機器の一例を示す分解図である。
【図３】本考案に係る天井器具取付丸孔カバー用孔開機器の使用形態や動作手順を示す構成図であって、（ａ）は天井器具取付丸孔カバー用孔開機器Ａが天井壁面（ボード）に孔開する前の状態を示す説明図、（ｂ）は天井器具取付丸孔カバー用孔開機器Ａが天井壁面（ボード）に当接した状態を示す説明図である。
【図４】本考案に係る天井器具取付丸孔カバー用孔開機器の使用形態や動作手順を示す構成図であって、（ａ）は天井器具取付丸孔カバー用孔開機器Ａが天井壁面（ボード）の孔開部分Ｂを切削している状態を示す説明図、（ｂ）は天井器具取付丸孔カバー用孔開機器Ａが天井壁面（ボード）の孔開部分Ｂを天井壁面（ボード）から切離した状態を示す説明図である。
【図５】従来の技術に於ける天井孔開工具等の例を示す一部を切欠した斜視図である。
【符号の説明】
【００１９】
７        集塵ケース
７ａ      集塵ケースの固定板
７ｂ      集塵ケースの上端外縁部
８        ホルソー
８ａ      ホルソーの切歯
９        シャンク
９ａ      シャンクの下端部
９ｂ      シャンクの本体部
９ｃ      シャンクの締付部品
９ｄ      シャンクの雄ねじ部
１０      スプリングガイドピン
１１      第１コイルスプリング
１２      センターパイプ
１３      ホルソーパイプ
１３ａ    ホルソーパイプの雄ねじ部
１３ｂ    ホルソーパイプの雌ねじ部
１４      スペーサ
１５      第２コイルスプリング
１６      第２コイルスプリングの受座
１７      センターパイプ
１７ａ    センターパイプの抜け止めビス
１８      ボードガイド
１９      第１保護パイプ
２０      第２保護パイプ
２１      天井壁面（ボード）
２２      アウトレットボックス
２２ａ    アウトレットボックスの内奥面
２３      ボックス固定用ボルト
２４      孔開ガイド棒
２４ａ    孔開ガイド棒の先端
Ａ        天井器具取付丸孔カバー用孔開機器
Ｂ        天井壁面（ボード）の孔開部分
Ｃ        取付用穿孔
【図１】
0003133687.tif 000003
【図２】
0003133687.tif 000004
【図３】
0003133687.tif 000005
【図４】
0003133687.tif 000006
【図５】
0003133687.tif 000007